(57)【要約】【課題】視聴者がチャンネルを選局した際に、既に視聴した番組か否かを容易に判断することができるテレビジョン受信機、このテレビジョン受信機で実行される表示方法、表示プログラム、及び記録媒体の提供。【解決手段】テレビジョン受信機は、チューナーと、制御装置８１と、選局番組情報を記憶するメモリとを備える。制御装置８１は、選局番組情報取得部８１３と、選局番組情報比較部８１４と、表示制御部８１５とを備える。選局番組情報取得部８１３は、選局番組情報を取得する。メモリは、前記選局番組情報を記憶する。選局番組情報比較部８１４は、従前にメモリにより記憶された選局番組情報の中に、選局番組情報取得部８１３により取得される選局番組情報と同一の選局番組情報が存在するか否かを比較する。表示制御部８１５は、その比較された結果に基づいて選局番組情報の表示状態を変更する。【選択図】図２
2007336073.tif 000002
【特許請求の範囲】
【請求項１】
テレビジョン放送信号を受信する放送信号受信手段と、
チャンネルを選局可能に構成され、選局操作に応じた操作信号を出力する選局操作手段と、
前記操作信号に基づく選局チャンネルに係るテレビジョン放送信号を前記放送信号受信手段に受信させるとともに、該テレビジョン放送信号に基づいてテレビジョン映像を生成して画像表示装置に表示させる制御手段とを備えて構成されるテレビジョン受信機であって、
前記制御手段は、前記選局操作手段から出力される操作信号に基づいて選局チャンネルを認識する選局チャンネル認識部と、
前記選局チャンネル認識部が選局チャンネルを認識したときの日時情報を取得する日時情報取得部と、
前記テレビジョン放送信号に重畳される番組情報の中から、前記選局チャンネル認識部により認識される選局チャンネルと、前記日時情報取得部により取得される日時情報とに基づいて、該選局チャンネルにおいて現在放送されている番組にかかる選局番組情報を取得する選局番組情報取得部と、
前記選局番組情報取得部により取得される選局番組情報を記憶する選局番組情報記憶部と、
従前に前記選局番組情報記憶部により記憶された選局番組情報の中に、前記選局番組情報取得部により取得される選局番組情報と同一の選局番組情報が存在するか否かを比較する選局番組情報比較部と、
前記テレビジョン映像と、前記選局番組情報取得部により取得される選局番組情報とを前記画像表示装置に表示させる表示制御部とを備え、
前記表示制御部は、前記選局番組情報比較部により比較された結果に基づいて画像表示装置に表示させる選局番組情報の表示状態を変更することを特徴とするテレビジョン受信機。
【請求項２】
テレビジョン放送信号を受信する放送信号受信手段と、
チャンネルを選局可能に構成され、選局操作に応じた操作信号を出力する選局操作手段と、
前記操作信号に基づく選局チャンネルに係るテレビジョン放送信号を前記放送信号受信手段に受信させるとともに、該テレビジョン放送信号に基づいてテレビジョン映像を生成して画像表示装置に表示させる制御手段とを備えて構成されるテレビジョン受信機で実行される表示方法であって、
前記制御手段が、前記選局操作手段から出力される操作信号に基づいて選局チャンネルを認識する選局チャンネル認識工程と、
前記選局チャンネル認識工程が選局チャンネルを認識したときの日時情報を取得する日時情報取得工程と、
前記テレビジョン放送信号に重畳される番組情報の中から、前記選局チャンネル認識工程により認識される選局チャンネルと、前記日時情報取得工程により取得される日時情報とに基づいて、該選局チャンネルにおいて現在放送されている番組にかかる選局番組情報を取得する選局番組情報取得工程と、
前記選局番組情報取得工程により取得される選局番組情報を記憶する選局番組情報記憶工程と、
従前に前記選局番組情報記憶工程により記憶された選局番組情報の中に、前記選局番組情報取得工程により取得される選局番組情報と同一の選局番組情報が存在するか否かを比較する選局番組情報比較工程と、
前記テレビジョン映像と、前記選局番組情報取得工程により取得される選局番組情報とを前記画像表示装置に表示させる表示制御工程とを備え、
前記表示制御工程は、前記選局番組情報比較工程により比較された結果に基づいて画像表示装置に表示させる選局番組情報の表示状態を変更することを特徴とする表示方法。
【請求項３】
テレビジョン放送信号を受信する放送信号受信手段と、
チャンネルを選局可能に構成され、選局操作に応じた操作信号を出力する選局操作手段と、
前記操作信号に基づく選局チャンネルに係るテレビジョン放送信号を前記放送信号受信手段に受信させるとともに、該テレビジョン放送信号に基づいてテレビジョン映像を生成して画像表示装置に表示させる制御手段とを備えて構成されるテレビジョン受信機で実行される表示プログラムであって、
請求項２に記載の表示方法を前記制御手段に実行させることを特徴とする表示プログラム。
【請求項４】
請求項３に記載の表示プログラムが記録されていることを特徴とするコンピュータに読取可能な記録媒体。
【発明の詳細な説明】
【技術分野】
【０００１】
本発明は、テレビジョン受信機、このテレビジョン受信機で実行される表示方法、表示プログラム、及び記録媒体に関する。
【背景技術】
【０００２】
従来、放送局から放送されるテレビジョン番組の番組情報を、チャンネル番号や日時等の情報とともに、ディスプレイに表示することのできるテレビジョン受信機が知られている。
この番組情報は、テレビジョン放送信号に重畳させて搬送される番組情報、例えば、ＥＰＧ（Electronic Program Guide）情報を用いて生成されるものである。
【０００３】
例えば、視聴者がチャンネルを選局する際に、現在放送されている番組の番組情報をディスプレイ下部に表示する技術が提案されている（例えば、特許文献１参照）。
これによれば、視聴者はチャンネルの選局に先立って番組情報を確認することができ、視聴したい番組を判断してからチャンネルの選局をすることができる。
【０００４】
【特許文献１】特開平９−１５４０７６号公報
【発明の開示】
【発明が解決しようとする課題】
【０００５】
ところで、チャンネルの選局を繰り返していると、既に一度チャンネルの選局をして番組を視聴したことがあるにもかかわらず、同じチャンネルを選局した際に、視聴者がこれに気づかず、再び同じ番組を視聴してしまうことがある。
特許文献１では、前述したように、視聴者はチャンネルの選局に先立って番組情報を確認することができるが、同様に同じ番組を視聴してしまうことがある。
【０００６】
本発明の目的は、視聴者がチャンネルを選局した際に、既に視聴した番組か否かを容易に判断することができるテレビジョン受信機、このテレビジョン受信機における表示方法、表示プログラム、及び記録媒体を提供することにある。
【課題を解決するための手段】
【０００７】
本発明のテレビジョン受信機は、テレビジョン放送信号を受信する放送信号受信手段と、チャンネルを選局可能に構成され、選局操作に応じた操作信号を出力する選局操作手段と、前記操作信号に基づく選局チャンネルに係るテレビジョン放送信号を前記放送信号受信手段に受信させるとともに、該テレビジョン放送信号に基づいてテレビジョン映像を生成して画像表示装置に表示させる制御手段とを備えて構成されるテレビジョン受信機であって、前記制御手段は、前記選局操作手段から出力される操作信号に基づいて選局チャンネルを認識する選局チャンネル認識部と、前記選局チャンネル認識部が選局チャンネルを認識したときの日時情報を取得する日時情報取得部と、前記テレビジョン放送信号に重畳される番組情報の中から、前記選局チャンネル認識部により認識される選局チャンネルと、前記日時情報取得部により取得される日時情報とに基づいて、該選局チャンネルにおいて現在放送されている番組にかかる選局番組情報を取得する選局番組情報取得部と、前記選局番組情報取得部により取得される選局番組情報を記憶する選局番組情報記憶部と、従前に前記選局番組情報記憶部により記憶された選局番組情報の中に、前記選局番組情報取得部により取得される選局番組情報と同一の選局番組情報が存在するか否かを比較する選局番組情報比較部と、前記テレビジョン映像と、前記選局番組情報取得部により取得される選局番組情報とを前記画像表示装置に表示させる表示制御部とを備え、前記表示制御部は、前記選局番組情報比較部により比較された結果に基づいて画像表示装置に表示させる選局番組情報の表示状態を変更することを特徴とする。
【０００８】
このような構成によれば、従前に選局番組情報記憶部により記憶された選局番組情報の中に、選局番組情報取得部により取得される選局番組情報と同一の選局番組情報が存在するか否かを比較し、その結果に基づいて画像表示装置に表示させる選局番組情報の表示状態を変更するから、例えば、視聴者が初めて視聴する番組である場合には、表示色を「白色」に変更し、既に視聴した番組である場合には、表示色を「黄色」に変更することにより、視聴者は、チャンネルを選局した際に、既に視聴した番組か否かを表示色により容易に判断することができる。
【０００９】
本発明の表示方法は、テレビジョン放送信号を受信する放送信号受信手段と、チャンネルを選局可能に構成され、選局操作に応じた操作信号を出力する選局操作手段と、前記操作信号に基づく選局チャンネルに係るテレビジョン放送信号を前記放送信号受信手段に受信させるとともに、該テレビジョン放送信号に基づいてテレビジョン映像を生成して画像表示装置に表示させる制御手段とを備えて構成されるテレビジョン受信機で実行される表示方法であって、前記制御手段が、前記選局操作手段から出力される操作信号に基づいて選局チャンネルを認識する選局チャンネル認識工程と、前記選局チャンネル認識工程が選局チャンネルを認識したときの日時情報を取得する日時情報取得工程と、前記テレビジョン放送信号に重畳される番組情報の中から、前記選局チャンネル認識工程により認識される選局チャンネルと、前記日時情報取得工程により取得される日時情報とに基づいて、該選局チャンネルにおいて現在放送されている番組にかかる選局番組情報を取得する選局番組情報取得工程と、前記選局番組情報取得工程により取得される選局番組情報を記憶する選局番組情報記憶工程と、従前に前記選局番組情報記憶工程により記憶された選局番組情報の中に、前記選局番組情報取得工程により取得される選局番組情報と同一の選局番組情報が存在するか否かを比較する選局番組情報比較工程と、前記テレビジョン映像と、前記選局番組情報取得工程により取得される選局番組情報とを前記画像表示装置に表示させる表示制御工程とを備え、前記表示制御工程は、前記選局番組情報比較工程により比較された結果に基づいて画像表示装置に表示させる選局番組情報の表示状態を変更することを特徴とする。
【００１０】
本発明に係る表示方法は、前述したテレビジョン受信機の作用および効果と同様の作用および効果を享受することができる。
また、本発明は、前記表示方法をコンピュータに実行させるプログラムとしても構成することができ、さらには、このプログラムを記録したコンピュータに読取可能な記録媒体としても構成することができる。
【発明を実施するための最良の形態】
【００１１】
以下、本発明の実施形態を図面に基づいて説明する。
図１は、本発明の実施形態におけるテレビジョン受信機のブロック図である。
テレビジョン受信機１は、図１に示すように、受信機本体２と、この受信機本体２を遠隔操作する選局操作手段としてのリモコン（リモートコントローラ）３とを備えている。
リモコン３は、複数の操作キーを備え、視聴者により操作キーが押下されてチャンネルが選局されると、押下された操作キーに応じた操作信号を赤外線により受信機本体２に送信する。なお、リモコン３は、赤外線によって操作信号を送信するとしたが、電波によって操作信号を送信するように構成してもよい。
【００１２】
受信機本体２は、リモコン３から送信される操作信号に基づく選局チャンネルに係るテレビジョン放送信号を受信して、映像、及び音声を出力するものであり、チャンネル選局操作検出手段４と、放送信号選局手段５と、映像音声出力手段７と、演算制御手段８と、画像表示装置９と、スピーカ１０と、入力選択装置１１とを備えている。
また、この受信機本体２は、テレビジョン放送信号に重畳されるＥＰＧ情報を取得することが可能であり、ＥＰＧ情報受信手段６を備えて構成される。
【００１３】
チャンネル選局操作検出手段４は、視聴者によるチャンネル選局操作を検出する手段であり、リモコン３により送信される操作信号を受信するリモコン受光装置４１と、リモコン受光装置４１により受信される操作信号を、演算制御手段８が読取可能な信号に変換して出力するキー入力処理装置４２とを備えて構成されている。
【００１４】
放送信号選局手段５は、アンテナ（図示せず）を介して受信されるテレビジョン放送信号から選局チャンネルに係るテレビジョン放送信号を受信する放送信号受信手段としてのチューナー５１と、演算制御手段８を介して選局チャンネルを受信し、この情報に基づいてチューナー５１を操作する選局処理装置５２とを備えている。
【００１５】
ＥＰＧ情報受信手段６は、チューナー５１が受信したテレビジョン放送信号に重畳させて搬送されるＥＰＧ情報を取得するＥＰＧ情報取得装置６１と、ＥＰＧ情報取得装置６１により取得されるＥＰＧ情報を記憶するＥＰＧ情報記憶装置６２とを備えている。このＥＰＧ情報には、テレビジョン放送信号により放映されるテレビジョン番組の番組情報（識別番号、放映日、放映開始日時、放映終了日時、番組名、番組内容、ジャンル等）が含まれている。
【００１６】
映像音声出力手段７は、チューナー５１が受信したテレビジョン放送信号を、入力選択装置１１を介して受信し、映像信号、及び音声信号とに分離する映像音声処理装置７１と、映像音声処理装置７１により分離された映像信号（テレビジョン映像）を画像表示装置９に出力する映像出力装置７２と、映像音声処理装置７１により分離された音声信号をスピーカ１０に出力する音声出力装置７３とを備えている。
【００１７】
なお、入力選択装置１１は、チューナー５１が受信したテレビジョン放送信号を受信する他、例えば、受信機本体２のビデオ入力等の端子（図示せず）に外部接続機器１２が接続され、外部接続機器１２から映像信号等の信号を受信する場合がある。この場合には、視聴者によりリモコン３の操作キーが押下されることにより、チャンネル選局操作検出手段４が視聴者によるチャンネル選局操作を検出し、演算制御手段８が入力選択装置１１を操作することで、映像音声処理装置７１が受信する信号を切り替えることができる。
【００１８】
演算制御手段８は、受信機本体２の各装置に接続されるとともに、各装置の制御を行う制御装置８１と、制御装置８１に接続される選局番組情報記憶部としてのメモリ８２とを備えて構成されている。
メモリ８２は、選局番組情報を記憶する他、プログラムの処理に必要な情報等を記憶する。
なお、本実施形態において、制御手段は、チャンネル選局操作検出手段４と、選局処理装置５２と、ＥＰＧ情報受信手段６と、映像音声出力手段７と、演算制御手段８と、入力選択装置１１とにより構成されている。
【００１９】
制御装置８１は、図２に示すように、選局チャンネル認識部８１１と、日時情報取得部８１２と、選局番組情報取得部８１３と、選局番組情報比較部８１４と、表示制御部８１５とを備えている。
選局チャンネル認識部８１１は、キー入力処理装置４２により出力される信号に基づいて選局チャンネルを認識する。
日時情報取得部８１２は、選局チャンネル認識部８１１が選局チャンネルを認識したときの日時情報を取得する。
【００２０】
選局番組情報取得部８１３は、ＥＰＧ情報記憶装置６２により記憶されたＥＰＧ情報の中から選局番組情報を取得する。
選局番組情報比較部８１４は、従前にメモリ８２により記憶された選局番組情報の中に、選局番組情報取得部８１３により取得される選局番組情報と同一の選局番組情報が存在するか否かを比較する。
【００２１】
表示制御部８１５は、選局番組情報取得部８１３により取得される選局番組情報を、映像出力装置７２を介してテレビジョン映像に重畳させて画像表示装置９のディスプレイに表示させる。
また、表示制御部８１５は、選局番組情報比較部８１４により比較された結果に基づいて画像表示装置９のディスプレイに表示させる選局番組情報の表示状態を変更する。
【００２２】
次に、テレビジョン受信機１で実行される表示方法について説明する。
表示方法は、図３に示すように、選局チャンネル認識工程Ｓ１と、日時情報取得工程Ｓ２と、選局番組情報取得工程Ｓ３と、選局番組情報記憶工程Ｓ４と、選局番組情報比較工程Ｓ５と、表示制御工程Ｓ６を備える。以下、図３を参照して各工程について詳述する。
図３は、本発明の実施形態における表示方法の各工程を示したフローチャートである。
【００２３】
視聴者により、リモコン３の操作キーが押下されてチャンネルが選局されると、チャンネル選局操作検出手段４が、視聴者によるチャンネルの選局操作を検出し、次いで、選局チャンネル認識部８１１により選局チャンネル認識工程Ｓ１が実行される。
選局チャンネル認識部８１１は、キー入力処理装置４２により出力される信号を受信し、選局チャンネルを認識する。
【００２４】
選局チャンネルが認識されると、日時情報取得部８１２により日時情報取得工程Ｓ２が実行される。
日時情報取得部８１２は、選局チャンネル認識部８１１がキー入力処理装置４２により出力される信号を受信したことをトリガとして、制御装置８１のタイマ（図示せず）から日時情報を取得する。
【００２５】
日時情報が取得されると、選局番組情報取得部８１３により選局番組情報取得工程Ｓ３が実行される。
選局番組情報取得部８１３は、ＥＰＧ情報記憶装置６２により記憶されたＥＰＧ情報の中から、選局チャンネル認識部８１１により認識される選局チャンネルと、日時情報取得部８１２により取得される日時情報とに基づいて、視聴者が選局したチャンネルにおいて現在放送されている番組にかかる選局番組情報を取得する。
なお、本実施形態においては、識別番号、及び番組名を取得する。
【００２６】
選局番組情報が取得されると、メモリ８２により選局番組情報記憶工程Ｓ４が実行される。
メモリ８２は、選局番組情報取得部８１３により取得される選局番組情報のうち、識別番号を記憶する。
なお、メモリ８２は、識別番号を記憶することによりオーバーフローする場合には、古い情報から順に削除する。
【００２７】
識別番号がメモリ８２により記憶されると、選局番組情報比較部８１４により選局番組情報比較工程Ｓ５が実行される。
選局番組情報比較部８１４は、従前にメモリ８２により記憶された識別番号の中に、選局番組情報取得部８１３により取得される識別番号と同一の識別番号が存在するか否かを比較する。
【００２８】
識別番号が選局番組情報比較部８１４により比較されると、表示制御部８１５により表示制御工程Ｓ６が実行される。
表示制御部８１５は、選局番組情報比較部８１４により比較された結果に基づいて画像表示装置９のディスプレイに表示する選局番組情報の表示状態を変更し、次いで、選局番組情報取得部８１３により取得される選局番組情報を、映像出力装置７２を介してテレビジョン映像に重畳させて画像表示装置９のディスプレイに表示させる。
【００２９】
例えば、本実施形態においては、表示制御部８１５は、選局番組情報比較部８１４により比較された結果（Ｓ６１）、同一の識別番号が存在している場合には表示色を「黄色」に設定し（Ｓ６２）、存在していない場合には表示色を「白色」に設定する（Ｓ６３）。
そして、表示制御部８１５は、選局番組情報、本実施形態では番組名を、選局チャンネルに係るチャンネル番号情報とともに、映像出力装置７２を介してテレビジョン映像に重畳させて画像表示装置９のディスプレイに表示させる（Ｓ６４）。
【００３０】
表示制御部８１５は、次に、タイマをスタートさせ（Ｓ６５）、チャンネル選局操作検出手段４が、視聴者によるチャンネルの選局操作を検出するか、所定時間が経過するまでタイマを監視する（Ｓ６６、Ｓ６７）。この際、表示制御部８１５は、チャンネル選局操作検出手段４が、視聴者によるチャンネルの選局操作を検出すると（Ｓ６６）、画像表示装置９のディスプレイに表示されているチャンネル番号情報、及び番組名を消去する（Ｓ６８）。そして、再度、選局チャンネル認識部８１１により選局チャンネル認識工程Ｓ１が実行される。
一方、表示制御部８１５は、所定時間が経過すると（Ｓ６７）、チャンネル番号情報、及び番組名を消去する（Ｓ６９）。
【００３１】
次に、図４を参照して、視聴者がチャンネルを切り替える際の、画像表示装置９のディスプレイの状態について詳述する。
はじめに、視聴者は、Ｃｈ（チャンネル）２の「ドラマ２１」を視聴しているものとする（Ｇ１）。
【００３２】
次に、視聴者によりＣｈ３が選局されると、例えば、Ｃｈ３において放送されている「映画[パットマン]」の識別番号が「１」であったとすると、メモリ８２は「１」を記憶する。また、Ｃｈ２において放送されている「ドラマ２１」の識別番号が「０」であったとすると、メモリ８２は、従前のチャンネルの選局操作により、「０」を記憶している。
ここでは、「映画[パットマン]」の識別番号「１」が、従前にメモリ８２により記憶された識別番号「０」とは異なるため、同一の識別番号は存在していないから、表示制御部８１５は、チャンネル番号情報、及び番組名を「白色」で表示する（Ｇ２）。
【００３３】
同様に、視聴者によりＣｈ４が選局されると、例えば、Ｃｈ４において放送されている「ニュースストップ」の識別番号が「２」であったとすると、メモリ８２は「２」を記憶する。
ここでは、「ニュースストップ」の識別番号「２」が、従前にメモリ８２により記憶された識別番号「０」、及び「１」とは異なるため、同一の識別番号は存在していないから、表示制御部８１５は、チャンネル番号情報、及び番組名を「白色」で表示する（Ｇ３）。
【００３４】
次に、視聴者により再度Ｃｈ３が選局されると、例えば、Ｃｈ３において放送されている「映画[パットマン]」の識別番号が「１」であったとすると、メモリ８２は「１」を記憶する。
ここでは、「映画[パットマン]」の識別番号「１」が、従前にメモリ８２により記憶された識別番号「０」、「１」、及び「２」の中に同一の識別番号が存在しているから、表示制御部８１５は、チャンネル番号情報、及び番組名を「黄色」で表示する（Ｇ４）。
【００３５】
次に、視聴者により再度Ｃｈ４が選局されると、例えば、Ｃｈ４において放送されている「冬のその他」の識別番号が「３」であったとすると、メモリ８２は「３」を記憶する。
ここでは、「冬のその他」の識別番号「３」が、従前にメモリ８２により記憶された識別番号「０」、「１」、及び「２」とは異なるから、表示制御部８１５は、チャンネル番号情報、及び番組名を「白色」で表示する（Ｇ５）。
なお、Ｃｈ４では、従前には、「ニュースストップ」が放送されていたが、視聴者により再度Ｃｈ４が選局された際には、「ニュースストップ」の放送が終了し、「冬のその他」が放送されているため、識別番号が異なっている。
【００３６】
前記実施形態に係るテレビジョン受信機１によれば、次のような効果がある。
（１）従前にメモリ８２により記憶された識別番号の中に、選局番組情報取得部８１３により取得される識別番号と同一の識別番号が存在するか否かを比較し、その結果に基づいて画像表示装置に表示させるチャンネル番号情報、及び番組名の表示色を「黄色」、または「白色」変更するから、視聴者は、チャンネルを選局した際に、既に視聴した番組か否かを容易に判断することができる。
【００３７】
（２）識別番号により比較を行っているから、同じチャンネルを選局した場合であっても、放送されている番組が異なる場合には、未だ視聴していない番組であるとして表示色を変更することができる。
（３）視聴者が選局したチャンネルのチャンネル番号情報、及び番組名を、映像出力装置７２を介してテレビジョン映像に重畳させて画像表示装置９のディスプレイに表示させているから、選局番組情報を表示するための領域を確保する必要がなく、テレビジョン映像の視認性を向上することができる。
【００３８】
なお、本発明は前記実施形態に限定されるものではなく、本発明の目的を達成できる範囲での変形、改良等は本発明に含まれるものである。
例えば、従前にメモリ８２により記憶された識別番号の中に、選局番組情報取得部８１３により取得される識別番号と同一の識別番号が存在するか否かを比較したが、番組名等により比較してもよく、要するに、視聴者が、既に視聴した番組か否かを判断することができる選局番組情報であればよい。
【００３９】
また、メモリ８２は、チャンネル選局操作検出手段４が視聴者による選局操作を検出するごとに選局番組情報を記憶していたが、例えば、視聴者による選局操作を検出してから所定時間以上経過した場合に選局番組情報を記憶してもよく、要するに、視聴者が既に視聴した番組か否かを判断することができればよい。
また、表示制御部８１５は、表示色を変更することにより、選局番組情報の表示状態を変更していたが、半透明表示や、点滅表示等にしてもよく、要するに、視聴者が既に視聴した番組か否かを容易に判断することができればよい。
【００４０】
また、視聴者が選局したチャンネルのチャンネル番号情報、及び番組名を、映像出力装置７２を介してテレビジョン映像に重畳させて画像表示装置９のディスプレイに表示させていたが、別々の領域にそれぞれ表示してもよく、要するに、テレビジョン映像信号と、選局番組情報とを画像表示装置９のディスプレイに表示することができればよい。
また、画像表示装置９のディスプレイに表示される選局番組情報は、チャンネル番号情報、及び番組名のみであったが、例えば、番組内容やジャンル等を表示してもよく、要するに、テレビジョン放送信号に応じた情報を表示すればよい。
【図面の簡単な説明】
【００４１】
【図１】本発明の実施形態におけるテレビジョン受信機のブロック図である。
【図２】同テレビジョン受信機の制御装置を示すブロック図である。
【図３】本発明の実施形態における表示方法の各工程を示したフローチャートである。
【図４】視聴者がチャンネルを切り替える際の、画像表示装置のディスプレイの状態である。
【符号の説明】
【００４２】
１…テレビジョン受信機、２…受信機本体、５…放送信号選局手段、６…ＥＰＧ情報受信手段、７…映像音声出力手段、８…演算制御手段、９…画像表示装置、５１…チューナー、５２…選局処理装置、６１…ＥＰＧ情報取得装置、６２…ＥＰＧ情報記憶装置、７１…映像音声処理装置、７２…映像出力装置、８１…制御装置、８２…メモリ、８１１…選局チャンネル認識部、８１２…日時情報取得部、８１３…選局番組情報取得部、８１４…選局番組情報比較部、８１５…表示制御部、Ｓ１…選局チャンネル認識工程、Ｓ２…日時情報取得工程、Ｓ３…選局番組情報取得工程、Ｓ４…選局番組情報記憶工程、Ｓ５…選局番組情報比較工程、Ｓ６…表示制御工程。
【図１】
2007336073.tif 000003
【図２】
2007336073.tif 000004
【図３】
2007336073.tif 000005
【図４】
2007336073.tif 000006